【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】
ＯＦＤＭ信号のデジタル伝送で、放送波中継による単一周波数ネットワークを実現するため、中継放送所の受信アンテナで受信された回り込み波をキャンセルする中継放送所に設けられた回り込みキャンセラであって、前記中継放送所の受信アンテナで前記回り込み波と加算され受信された親局波から前記回り込み波の複製を減算して親局波のみを出力する減算器と、回り込み観測信号を入力させその出力に前記回り込み波の複製を出力させるＦＩＲフィルタと、前記回り込み観測信号をまた入力させその出力に前記ＦＩＲフィルタに印加すべきＦＩＲフィルタのフィルタ係数を生成して出力させるフィルタ係数生成回路とを具えた回り込みキャンセラにおいて、
前記フィルタ係数生成回路が：受信したＯＦＤＭ信号をＦＦＴして周波数領域のキャリア信号に変換するＦＦＴ手段と；該ＦＦＴ手段から出力される周波数領域のキャリア信号からＯＦＤＭ信号帯域内の伝達関数を算出する伝達関数算出手段と、該伝達関数算出手段から出力される伝達関数からＯＦＤＭ信号帯域内の回り込みのキャンセル残差の周波数特性を算出して出力するキャンセル残差演算手段と；該キャンセル残差演算手段から出力されるキャンセル残差の周波数特性を逆フーリエ変換して前記ＦＩＲフィルタに印加するフィルタ係数のもととなるインパルス応答に変換して出力する逆フーリエ変換手段と；を少なくとも具え、
前記キャンセル残差演算手段の出力であるＯＦＤＭ信号帯域内のキャンセル残差の周波数特性を用いてＯＦＤＭ信号帯域外の回り込みのキャンセル残差の周波数特性に外挿する周波数帯域拡張手段を具えることでＯＦＤＭ信号の周波数帯域幅よりも広い周波数帯域に対して回り込みをキャンセルできるように構成したことを特徴とする回り込みキャンセラ。
【請求項２】
請求項１記載の回り込みキャンセラにおいて、前記周波数帯域拡張手段が：前記逆フーリエ変換手段からのキャンセル残差のインパルス応答の信号が入力されており、入力された前記キャンセル残差のインパルス応答の振幅を算出して出力する絶対値算出回路と；該絶対値算出回路から出力されるインパルス応答の振幅の最大値を検出して出力する最大値検出回路と；該最大値検出回路から出力されるインパルス応答の最大値を用いて閾値を算出して出力する閾値規定回路と；該閾値規定回路から出力される閾値と前記絶対値算出回路から出力されるインパルス応答の振幅を比較して閾値よりも大きな振幅のインパルス応答の情報を出力する比較器と；該比較器からの情報と前記逆フーリエ変換手段からのキャンセル残差のインパルス応答の信号が入力され、入力された信号のうち前記比較器からの情報から前記閾値よりも大きな振幅のインパルス応答はそのまま出力し、それ以外は０を出力するように構成したゲート回路と；を具え、前記ＯＦＤＭ信号帯域内の周波数特性をＯＦＤＭ信号帯域外へ連続して拡張するように構成されたことを特徴とする回り込みキャンセラ。
【請求項３】
請求項１または２記載の回り込みキャンセラにおいて、前記フィルタ係数生成回路が：前記周波数帯域拡張手段から前記ＦＩＲフィルタの間に、前記ＦＩＲフィルタに印加すべきフィルタ係数となるインパルス応答の振幅を算出して出力する第２の絶対値算出回路と；前記伝達関数算出手段から出力される信号を平均化することで得られる主波成分を用いてインパルス応答におけるノイズ成分の振幅の閾値を設定するインパルス値算出回路と；該インパルス値算出回路から出力される閾値と前記第２の絶対値算出回路から出力されるインパルス応答の振幅を比較して閾値よりも大きな振幅のインパルス応答の情報を出力する第２の比較器と；該第２の比較器からの情報と前記フィルタ係数となるインパルス応答の信号が入力され、入力された信号のうち前記第２の比較器からの情報から前記閾値よりも大きな振幅のインパルス応答はそのまま出力し、それ以外は０を出力するように構成したゲート回路と；から構成されるフィルタ係数ゲート回路をさらに具え、前記ＦＩＲフィルタに印加すべきフィルタ係数に含まれるノイズ成分を除去して出力するように構成したことを特徴とする回り込みキャンセラ。
【手続補正２】
【補正対象書類名】明細書
【補正対象項目名】０００６
【補正方法】変更
【補正の内容】
【０００６】
【課題を解決するための手段】
この目的を達成するため、請求項１に記載された第１の発明による回り込みキャンセラは、ＯＦＤＭ信号のデジタル伝送で、放送波中継による単一周波数ネットワークを実現するため、中継放送所の受信アンテナで受信された回り込み波をキャンセルする中継放送所に設けられた回り込みキャンセラであって、前記中継放送所の受信アンテナで前記回り込み波と加算され受信された親局波から前記回り込み波の複製を減算して親局波のみを出力する減算器と、回り込み観測信号を入力させその出力に前記回り込み波の複製を出力させるＦＩＲフィルタと、前記回り込み観測信号をまた入力させその出力に前記ＦＩＲフィルタに印加すべきＦＩＲフィルタのフィルタ係数を生成して出力させるフィルタ係数生成回路とを具えた回り込みキャンセラにおいて、前記フィルタ係数生成回路が：受信したＯＦＤＭ信号をＦＦＴして周波数領域のキャリア信号に変換するＦＦＴ手段と；該ＦＦＴ手段から出力される周波数領域のキャリア信号からＯＦＤＭ信号帯域内の伝達関数を算出する伝達関数算出手段と、該伝達関数算出手段から出力される伝達関数からＯＦＤＭ信号帯域内の回り込みのキャンセル残差の周波数特性を算出して出力するキャンセル残差演算手段と；該キャンセル残差演算手段から出力されるキャンセル残差の周波数特性を逆フーリエ変換して前記ＦＩＲフィルタに印加するフィルタ係数のもととなるインパルス応答に変換して出力する逆フーリエ変換手段と；を少なくとも具え、前記キャンセル残差演算手段の出力であるＯＦＤＭ信号帯域内のキャンセル残差の周波数特性を用いてＯＦＤＭ信号帯域外の回り込みのキャンセル残差の周波数特性に外挿する周波数帯域拡張手段を具えることでＯＦＤＭ信号の周波数帯域幅よりも広い周波数帯域に対して回り込みをキャンセルできるように構成したことを特徴とするものである。
【手続補正３】
【補正対象書類名】明細書
【補正対象項目名】０００７
【補正方法】変更
【補正の内容】
【０００７】
また、請求項２に記載された第２の発明による回り込みキャンセラは、上記第１の発明において、前記周波数帯域拡張手段が：前記逆フーリエ変換手段からのキャンセル残差のインパルス応答の信号が入力されており、入力された前記キャンセル残差のインパルス応答の振幅を算出して出力する絶対値算出回路と；該絶対値算出回路から出力されるインパルス応答の振幅の最大値を検出して出力する最大値検出回路と；該最大値検出回路から出力されるインパルス応答の最大値を用いて閾値を算出して出力する閾値規定回路と；該閾値規定回路から出力される閾値と前記絶対値算出回路から出力されるインパルス応答の振幅を比較して閾値よりも大きな振幅のインパルス応答の情報を出力する比較器と；該比較器からの情報と前記逆フーリエ変換手段からのキャンセル残差のインパルス応答の信号が入力され、入力された信号のうち前記比較器からの情報から前記閾値よりも大きな振幅のインパルス応答はそのまま出力し、それ以外は０を出力するように構成したゲート回路と；を具え、前記ＯＦＤＭ信号帯域内の周波数特性をＯＦＤＭ信号帯域外へ連続して拡張するように構成されたことを特徴とするものである。
【手続補正４】
【補正対象書類名】明細書
【補正対象項目名】０００８
【補正方法】変更
【補正の内容】
【０００８】
また、さらに、請求項３に記載された第３の発明による回り込みキャンセラは、上記第１または第２の発明において、前記フィルタ係数生成回路が：前記周波数帯域拡張手段から前記ＦＩＲフィルタの間に、前記ＦＩＲフィルタに印加すべきフィルタ係数となるインパルス応答の振幅を算出して出力する第２の絶対値算出回路と；前記伝達関数算出手段から出力される信号を平均化することで得られる主波成分を用いてインパルス応答におけるノイズ成分の振幅の閾値を設定するインパルス値算出回路と；該インパルス値算出回路から出力される閾値と前記第２の絶対値算出回路から出力されるインパルス応答の振幅を比較して閾値よりも大きな振幅のインパルス応答の情報を出力する第２の比較器と；該第２の比較器からの情報と前記フィルタ係数となるインパルス応答の信号が入力され、入力された信号のうち前記第２の比較器からの情報から前記閾値よりも大きな振幅のインパルス応答はそのまま出力し、それ以外は０を出力するように構成したゲート回路と；から構成されるフィルタ係数ゲート回路をさらに具え、前記ＦＩＲフィルタに印加すべきフィルタ係数に含まれるノイズ成分を除去して出力するように構成したことを特徴とするものである。